(57)【要約】      （修正有）【課題】波力を風力に変換しタービンを回転運動に変換させる装置の提供。【解決手段】空気室の上部をしぼり波の上昇に伴い圧力がかかる構造にし、又波の下降に伴い空気室の空気が稀薄になり、風速が高まるようにし、空気室に圧がかかると第１の排気弁１が開き第２の吸気弁４が閉じ第２の排気弁３が開き波の上昇で空気室の空気が流れ、排気され又、波の下降時には第１の排気弁１が閉じ第２の吸気弁４が開き第２の排気弁３が閉じ、第１の吸気弁２が開き矢印ように外気が吸気され、空気室へ吸気され、この加速された空気の流れでタービン５が連続回転する仕組みとする。【選択図】図２
0003201249.tif 000002
【実用新案登録請求の範囲】
【請求項１】
波力を風力に変換しタービン（５）を回転運動に変換する装置であって、波の上昇に伴い空気室の上部がしぼられているので空気圧が高まり、第一の排気弁（１）が開き、圧力がかかった空気が、風洞（１６）を通り第２の排気弁（３）を開き、外へ排出され、風洞に設けられたタービン（５）を回転させ第２の排気弁（３）を開き外へ排出する、波が下降始めると空気室の空気が稀薄となり、第２の吸気弁（４）が開き第２の排気弁（３）、第１の排気弁（１）が閉じ、第１の吸気弁（２）が開き外気が吸気されタービン（５）を回転させ空気室へ流入する装置。
【請求項２】
請求項１の装置を岸壁に固定したレールに装着し、装置が前後左右に移動せず潮位のみの変化に連動する仕組みで、装置本体（含む浮力材）（６）を海面上に浮かべ、抵抗版兼錘（８）を、波の上下運動に影響されない距離をとり支柱（７）で連結し海中に吊り、安定した位置を保つ装置。
【請求項３】
請求項１の装置を海上に設置する場合、海底に固定した基部（１５）にワイヤ（１３）を接続し、抵抗板（１０）に取り付けた滑車（１１）、滑車（１２）を介し、錘（１４）を吊り、本装置が潮位の変化に連動し常に海底に対し垂直になるように働く仕組みで、抵抗板（１０）により波の上下連動に左右されない安定した位置を保つ装置。
【考案の詳細な説明】
【技術分野】
【０００１】  本考案は、波力を風力に変換しタービンを回転運動に変換する装置に関する。【０００２】  従来、この種の波力を風力に変換しタービンを回転運動に変換する装置は複雑で大掛りであった。
【先行技術文献】
【０００３】
【特許文献１】特開２００２−３０３２４２
【０００４】
【考案が解決しようとする課題】
【０００５】  従来の波力を風力に変換しタービンを回転運動に連続回転運動に変換する装置は制作するには特殊な材料が必要で既存の材料出来ず、又構造が複雑で保守管理も容易でなかった。
【問題を解決しようとする手段】
【０００６】  上記の問題を解決する為に、本考案は、波力を風力に変換しタービンを回転運動に変換する装置であって、波の上下運動を風力に変換し、この風力でタービンを回転させる為に、本装置を図２示すように空気室の上部をしぼり波の上昇に伴い圧力がかかる構造にし、又波の下降に伴い空気室の空気が稀薄になり、風速が高まるようにし、空気室に圧がかかると第１の排気弁（１）が開き第２の吸気弁（４）が閉じ第２の排気弁（３）が開き波の上昇で空気室の空気が図２（左）の矢印のように流れ、排気され又、波の下降時には図２（右）のように第１の排気弁（１）が閉じ第２の吸気弁（４）が開き第２の排気弁（３）が閉じ、第１の吸気弁（２）が開き矢印ように外気が吸気され、空気室へ吸気され、この加速された空気の流れでタービン（５）が連続回転する仕組みを特徴とする、又構造が極めて簡単で製作に当たり既存の材料でき経費軽減出来保守管理も容易である。
【考案の効果】
【０００７】  本考案に係る波力を風力に変換しタービン（５）を回転運動に変換する装置は上述したように空気室の空気が排気口を通り風洞を通りタービン（５）を回転させ第２の排気弁（３）（排気口）より外気へ排気し、又波の下降時に外気を第１の吸気弁（２）（吸気口）より吸気しタービン（５）を回転させ空気室へ吸気されることで、タービン（５）を効率よく連続回転できる。
【図面の簡単な説明】
【０００８】
【図１】  本装置の波力を風力に変換しタービン（５）を回転運動に変換する装置の見取図である。
【図２】  左図は波の上昇時を示し、右図は下降時を示す図である。
【図３】  本装置を岸壁に装着した図で、左から満潮時潮位、中央は中潮位、右は干潮時潮位を表す図である。
【図４】  本装置を海上に設置した図で、潮位の変化に連動する様子を表す図である。
【考案を実施するための形態】
【０００９】以下、本考案に係る実施の形態を図面に基ずき説明する。
【実施例】
【００１０】  図１、図２は本装置の仕組みを示し、図３は岸壁にレールを取り付け、本装置を装着し、該装置が前後左右に移動せず潮位のみの変化に連動する装置であり、図４は海底に基部（１５）を固定しワイヤ（１３）を接続し、抵抗板（１０）に取り付けた滑車（１１），滑車（１２）を介し、錘（１４）を吊り海面上に浮かべた装置と図３に示したように支柱（７）で連結し地震、津波等の異変以外は概ね潮位と連動し波の上下運動には影響されない装置で、保守管理も容易である。
【産業上の利用可能性】
【００１１】  本考案は、真珠、牡蠣、魚類養殖等の作業に必要な電力の発電の動力源として利用可能。又、船舶交通の頻繁な港湾に大型の筏を浮かべ、本装置を複数装着し発電機の動力源として利用できる。
【符号の説明】１    第１の排気弁
２    第１の吸気弁
３    第２の排気弁
４    第２の吸気弁
５    タービン
６    浮力材
７    支柱
８    抵抗板兼錘
９    レール
１０  抵抗板
１１  滑車
１２  滑車
１３  ワイヤ
１４  錘
１５  基部
１６  風洞
【図１】
0003201249.tif 000003
【図２】
0003201249.tif 000004
【図３】
0003201249.tif 000005
【図４】
0003201249.tif 000006
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
波力を風力に変換しタービンを回転運動に変換する装置であって、本装置の主要部は縦長で箱形底なし上部に風洞、中央部にタービン（５）、第一の吸気弁（２）相対する位置に第二の排気弁（３）を有し、中部に空気室、該空気室は上方を狭めた一部に第一の吸気弁（２）下方に第一の排気弁（１）第二の排気弁（３）下方に第二の吸気弁（４）を具備し、下部は海水の出入りを容易にするよう開放した構造、波の上昇時空気室の空気に圧力が加わり、第一の排気弁（１）第二の排気弁（３）が開きタービン（５）を回転させ空気は外へ排出される、波が下降始めると空気室の空気が稀薄となり、第一の排気弁（１）第二の排気弁（３）は閉じ第二の吸気弁（４）第一の吸気弁（２）が開き外気が吸気されタービン（５）を連続回転させる装置。
【請求項２】
本装置の主要部に波の上下運動に左右されない長さの支柱（７）で抵抗板兼錘（８）を接続し、岸壁に固定したレールに装着し、潮位のみの変化に連動する装置。
【請求項３】
本装置の主要部に波の上下運動に左右されない長さの支柱（７）で、抵抗板（１０）を連結し、該抵抗板（１０）の下側に滑車（１１）（１２）を装着した装置を海上へ浮べ海底に固定した基部（１５）にワイヤ（１３）を接続し抵抗板（１０）に装着した滑車（１１）（１２）を介し錘（１４）を吊り、潮位のみの変化に連動し海底に垂直で安定した位置を保つ装置。
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
波力を風力に変換しタービンを回転運動に変換する装置であって、
装置は、海水の出入りを容易にする為に底部を開放した縦長の箱形状であり、
箱形状の上部の空間には風洞が形成されると共に、中部の空間は、上方を狭めた空気室が形成され、また、装置は、風洞にタービンを有すると共に、第一の吸気弁、第二の吸気弁、第一の排気弁、第二の排気弁を有し、
第一の吸気弁は、箱形状の側面であって、タービンの軸方向の上流側の側面に設けられ、空気室の圧力が高い場合に閉じ、空気室の圧力が低下した場合に開いて、外気を、タービンの上流側の風洞に吸気するものであり、
第二の吸気弁は、タービンの下流側の風洞と空気室との間に設けられ、空気室の圧力が高い場合に閉じ、空気室の圧力が低下した場合に開いて、第一の吸気弁が吸気した外気を、タービンの下流側から空気室へと流れるようにするものであり、
第一の排気弁は、箱形状の側面であって、第一の吸気弁の下方に設けられ、空気室の圧力が高い場合に開いて、空気室の空気をタービンの上流側の風洞へと流れるようにし、空気室の圧力が低下した場合に閉じて、空気室と風洞を隔離するものであり、
第二の吸気弁は、箱形状の側面であって、タービンの軸方向の下流側の側面に設けられ、空気室の圧力が高い場合に開いて、タービンの下流側の風洞からの空気を外部へ排出し、空気室の圧力が低下した場合に閉じるものであり、
装置は、開放した底部に出入りする波の上昇によって空気室の圧力が高くなる場合に、第一の吸気弁、第二の吸気弁が閉じ、第一の排気弁、第二の排気弁が開くことで、空気室内の空気を風洞を介して外部へ排出することで、風洞内のタービンを回転させ、
波の下降によって、空気室の圧力が低下した場合に、第一の吸気弁、第二の吸気弁が開き、第一の排気弁、第二の排気弁が閉じることで、第一の吸気弁を介して吸気した外気を、風洞、第二の吸気弁を介して空気室へと流すことによって、風洞内のタービンを回転させることで、波の上昇、及び下降に応じて、タービンを連続回転させることを特徴とする装置。
【請求項２】
請求項１に記載の装置であって、装置は、さらに、波の上下運動に左右されない長さの支柱で抵抗板兼錘を接続し、抵抗板兼錘を、岸壁に固定したレールに装着したことを特徴とする装置。
【請求項３】
請求項１に記載の装置であって、波の上下運動に左右されない長さの支柱で、抵抗板を連結し、該抵抗板の下側に滑車を装着した装置を海上へ浮かべ海底に固定した基部にワイヤを接続し抵抗板に装着した滑車を介し錘を吊り、潮位のみの変化に連動し海底に垂直で安定した位置を保つ装置。
【手続補正書】
【提出日】平成27年9月8日(2015.9.8)
【手続補正１】
【補正対象書類名】実用新案登録請求の範囲
【補正対象項目名】全文
【補正方法】変更
【補正の内容】
【実用新案登録請求の範囲】
【請求項１】
波力を風力に変換しタービンを回転運動に変換する装置であって、
装置は、海水の出入りを容易にする為に底部を開放した縦長の箱形状であり、
箱形状の上部の空間には風洞が形成されると共に、中部の空間は、上方を狭めた空気室が形成され、また、装置は、風洞にタービンを有すると共に、第一の吸気弁、第二の吸気弁、第一の排気弁、第二の排気弁を有し、
第一の吸気弁は、箱形状の側面であって、タービンの軸方向の上流側の側面に設けられ、空気室の圧力が高い場合に閉じ、空気室の圧力が低下した場合に開いて、外気を、タービンの上流側の風洞に吸気するものであり、
第二の吸気弁は、タービンの下流側の風洞と空気室との間に設けられ、空気室の圧力が高い場合に閉じ、空気室の圧力が低下した場合に開いて、第一の吸気弁が吸気した外気を、タービンの下流側から空気室へと流れるようにするものであり、
第一の排気弁は、箱形状の側面であって、第一の吸気弁の下方に設けられ、空気室の圧力が高い場合に開いて、空気室の空気をタービンの上流側の風洞へと流れるようにし、空気室の圧力が低下した場合に閉じて、空気室と風洞を隔離するものであり、
第二の排気弁は、箱形状の側面であって、タービンの軸方向の下流側の側面に設けられ、空気室の圧力が高い場合に開いて、タービンの下流側の風洞からの空気を外部へ排出し、空気室の圧力が低下した場合に閉じるものであり、
装置は、開放した底部に出入りする波の上昇によって空気室の圧力が高くなる場合に、第一の吸気弁、第二の吸気弁が閉じ、第一の排気弁、第二の排気弁が開くことで、空気室内の空気を風洞を介して外部へ排出することで、風洞内のタービンを回転させ、波の下降によって、空気室の圧力が低下した場合に、第一の吸気弁、第二の吸気弁が開き、第一の排気弁、第二の排気弁が閉じることで、第一の吸気弁を介して吸気した外気を、風洞、第二の吸気弁を介して空気室へと流すことによって、風洞内のタービンを回転させることで、波の上昇、及び下降に応じて、タービンを連続回転させることを特徴とする装置。
【請求項２】
請求項１に記載の装置であって、装置はさらに、波の上下運動に左右されない長さの支柱で抵抗板兼錘を接続し、抵抗板兼錘を、岸壁に固定したレールに装着したことを特徴とする装置。
【請求項３】
請求項１に記載の装置であって、波の上下運動に左右されない長さの支柱で、抵抗板を連結し、該抵抗板の下側に滑車を装着した装置を海上へ浮かべ海底に固定した基部にワイヤを接続し抵抗板に装着した滑車を介し錘を吊り、潮位のみの変化に連動し海底に垂直で安定した位置を保つ装置。